(57)【特許請求の範囲】
【請求項１】
携帯型情報処理装置の本体部にディスク記録媒体の着脱が可能なディスク駆動装置とそのディスク駆動装置を開閉可能に覆うディスクカバーを備えた携帯型情報処理装置の排水装置であって、
前記ディスクカバーの少なくとも左右両側が対応する前記本体部筐体の位置にそれぞれ長手方向に傾斜する溝を形成し、
前記ディスクカバーの裏面の周囲部に防水クッションを設けるとともに、そのディスクカバーを閉じた状態において当該防水クッションが当接するように前記本体部筐体に壁を設け、
かつ、前記ディスクカバーの表面を前記本体部筐体に設けた溝の長手方向と垂直方向に上が凸のアーチ形状に形成し、
前記ディスクカバーの表面に滴下された液体は、そのディスクカバーのアーチ形状の表面を流れて前記溝内に入り、その溝の長手方向の傾斜によって携帯型情報処理装置の外に排出されるようにしたことを特徴とする携帯型情報処理装置の排水装置。
【発明の詳細な説明】
【技術分野】
【０００１】
本発明は、携帯型情報処理装置に関し、さらに詳しくはディスク駆動装置を内蔵した携帯型情報処理装置の排水装置に関するものである。
【背景技術】
【０００２】
近年、ノート型パーソナルコンピュータ（以下、ノートパソコンという）のような携帯型情報処理装置は小型、軽量化が進んでおり、屋内での使用のみならず、屋外に持ち出して使うケースも増えている。オフィスなどの屋内使用時においては、誤ってコーヒーなどの液体をこぼした際の電気的なトラブルを未然に防いだり、屋外など雨水にさらされるような劣悪な使用環境下においては、ノートパソコン内への浸水を防ぐなどの対策をすることにより、あらゆる環境下でノートパソコンの使用を可能にしている。
【０００３】
以下に従来のノートパソコン内に液体の浸入を防ぐ防水機構について説明する。
【０００４】
携帯型情報処理装置に対する防水機構、特にノートパソコン本体部の上部からの液体の浸入対策としては特許文献１に記載されたものが知られている。
【０００５】
図４は特許文献１に記載されている従来の携帯型情報処理装置の防水機構を示す図である。
【０００６】
図４において、１はキーボードユニット、２は上筐体で、３は下筐体、４は吸水部材である。
【０００７】
上記携帯型情報処理装置では、キーボードユニット１の上にこぼした液体は、キーボードユニット１の各キートップの隙間、キーボードユニット１と上筐体２の隙間から、キーボードユニット１の下の部分に導かれて吸水部材４に至り、吸水部材４に吸収される。このようにして、携帯型情報処理装置内への液体の浸入を防ぐことにより、液体によるショートなどの電気的なトラブルを未然に防ぐというものである。
【特許文献１】特開２００１−２２８９５０号公報
【発明の開示】
【発明が解決しようとする課題】
【０００８】
しかしながら上記の従来の構成では、吸水部材追加による材料コスト、組立工数、および、重量のアップが発生する。また、長年の携帯型情報処理装置の使用により吸水部材が水分を吸収した場合、その吸水性能が低下して、それが機器の故障につながるという問題点を有していた。
【０００９】
本発明は上記従来の問題点を解決するもので、携帯型情報処理装置本体内への液体の浸入を防ぐため、本体に内蔵されたディスク駆動装置を開閉可能に覆うディスクカバーの両側部に対応する傾斜した溝を本体部筐体に設け、かつ、ディスクカバー表面をアーチ形状とし、これにより、オフィスなどの屋内使用においては、誤ってディスクカバーの上にこぼしたコーヒーなどの液体はディスクカバー表面に沿って溝に流れ、この溝を伝って、液体が装置外に排出されるようにしたものである。屋外使用においても同様にディスクカバー上の雨水などの液体はそのアーチ形状の表面を伝って溝に流れるため、携帯型情報処理装置内へ浸入するのを防ぐことができる。
【課題を解決するための手段】
【００１０】
本発明は、携帯型情報処理装置の本体部にディスク記録媒体の着脱が可能なディスク駆動装置とそのディスク駆動装置を開閉可能に覆うディスクカバーを備え、前記ディスクカバーの少なくとも左右両側が対応する前記本体部筐体の位置にそれぞれ長手方向に傾斜する溝を形成し、前記ディスクカバーの裏面の周囲部に防水クッションを設けるとともに、そのディスクカバーを閉じた状態において当該防水クッションが当接するように前記本体部筐体に壁を設け、かつ、前記ディスクカバーの表面を前記本体部筐体に設けた溝の長手方向と垂直方向に上が凸のアーチ形状に形成し、前記ディスクカバーの表面に滴下された液体は、そのディスクカバーのアーチ形状の表面を流れて前記溝内に入り、その溝の長手方向の傾斜によって携帯型情報処理装置の外に排出されるようにしたことを特徴とするものである。これにより、ディスクカバー上に誤ってこぼした液体はアーチ形状のカバー表面を伝って筐体に形成した溝から効果的に携帯型情報処理装置外に排出される。
【００１１】
そして、本発明は、前記溝に入った液体がその長手方向の傾斜によって流れるようにしたものである。
【００１２】
また、本発明は、ディスクカバーを閉じた状態ではそのディスクカバーの裏面周囲に設けた防水クッションが前記本体部筐体に設けた壁に当接するようにし、これにより、さらに防水性を高めたものである。
【発明の効果】
【００１３】
以上のように本発明は、ディスクカバーを閉じた状態では、携帯型情報処理装置のディスクカバー上にこぼれた液体や、屋外使用時の雨水などの液体は本体部筐体に設けた溝の長手方向と垂直方向に上が凸のアーチ形状に形成したカバー表面を伝って流れ、かつ、これが本体の筐体に設けた傾斜溝に集められて外に排出されることにより、ディスクカバー上の液体は携帯型情報処理装置外に効果的に排出され、装置内への液体の浸入が防止されるため、液体によるショートなどの電気的なトラブルが未然に防止される。さらに、カバー裏面の周囲部に設けた防水クッションが本体部筐体に設けた壁に当接するようにしたことによってディスクカバーを閉じた状態の防水性が一層高められる。
【発明を実施するための最良の形態】
【００１４】
以下、本発明の実施の形態について、図１から図３を用いて説明する。
【００１５】
（実施の形態１）
図１は本発明の実施の形態１における携帯型情報処理装置の使用状態を示す斜視図である。
【００１６】
図１において、１１は携帯型情報処理装置、１２は携帯型情報処理装置の表示部、１３は携帯型情報処理装置の本体部、１４は前記本体部１３に内蔵されたディスク駆動装置１９の上部を開閉可能に覆うディスクカバー、１５はディスクカバー１４上にこぼれた液体を集めて装置外に導き排出する溝、１７はスピンドル、１８はピックアップである。溝１５はディスクカバー１４の左右両側が対応する本体部１３の筐体の位置に一体に形成され、さらに溝１５のそれぞれは長手方向、図２では前方に傾斜して形成されている。
【００１７】
図２は同実施の形態１における携帯型情報処理装置の本体部でディスクカバーを開けた状態を示す斜視図である。なお、図２では表示部を割愛して表記している。
【００１８】
図３は同実施の形態１における図２のＡ−Ａ’における断面図である。
【００１９】
図３において、１６は（図１，図２には図示しない）ディスク記録媒体、２０は（図１，図２には図示しない）防水クッションである。
【００２０】
以上のように構成された携帯型情報処理装置について、図１、図２および図３を用いてその動作を説明する。
【００２１】
携帯型情報処理装置１１のディスクカバー１４を閉じた状態では、まず、ディスクカバー１４上に誤ってこぼした液体は、その表面を伝わり溝１５に集められる。溝１５に導かれ集められた液体は、前方に傾斜している溝１５を伝って携帯型情報処理装置１１の外部に排出される。これにより、電気部品や電気回路等を電気的故障の原因となる水分や、誤ってこぼした飲み物などのディスク駆動装置１９内への浸入を防ぎ、ディスク駆動装置１９を構成するスピンドル１７やスピンドルモータ、ピックアップ１８などの電気部品や電気回路の故障を防止できる。
【００２２】
以上のように本実施の形態によれば、ディスクカバーを閉じた状態で、携帯型情報処理装置のディスクカバー上にこぼれた液体をディスクカバー両側に集めて排出するための溝を本体の筐体に設けることにより、液体を溝に導いて携帯型情報処理装置外に排出することができる。
【００２３】
なお、上記において、ディスクカバー１４の表面は、溝１５それぞれの長手方向に対して略垂直方向に、上に凸のアーチ形状とされている。
【００２４】
また、図２においてディスクカバー１４の前後に対応した溝を本体部筐体に設け、さらにディスクカバー１４の表面は、溝それぞれの長手方向と略平行方向に上に凸のアーチ形状としてもよい。
【００２５】
さらに、ディスクカバー１４の前後左右四方に対応した溝を本体部筐体に設け、ディスクカバー１４の表面は上に凸のドーム形状としても良いことは言うまでもない。
【００２６】
また、こぼれた液体は前方、すなわち、長手方向に傾斜している溝１５を伝って携帯型情報処理装置の外部に排出されるとしたが、傾斜終端の溝から携帯型情報処理装置本体底部に貫通する穴部を設け、該穴部を介して携帯型情報処理装置外に液体を排出してもよいし、また、溝の傾斜をＶ字、Ｕ字状の傾斜としてＶ字、Ｕ字底部より携帯型情報処理装置本体底部に貫通する穴部を設け、該穴部を介して携帯型情報処理装置外に液体を排出してもよい。
また、本実施の形態において、溝１５は図３に示すように底面が平らなコの字型としたが、Ｕ字型、Ｖ字型としても良い。
【００２７】
また、以上の説明ではディスクカバー１４は図１、図２に示すようにキーボードと平行方向に回転軸を持つものとしたが、ディスクカバー１４はキーボードと垂直方向に回転軸を持つとしてもよい。
【００２８】
また、ディスクカバーの裏面の周囲に防水クッション２０を貼り付けることにより、これがディスク駆動装置１９の周囲の本体部の立ち壁と当るようにすることで、ディスクカバー１４を閉じた状態では防水性を高めることができる。
【産業上の利用可能性】
【００２９】
本発明にかかる携帯型情報処理装置の排水装置は、携帯型情報処理装置にとって電気的故障の原因となる液体を、ディスク駆動装置上部からの浸入に対して効果的に排出することができるといった効果を有し、ディスク駆動装置を内蔵した携帯型情報処理装置等として有用である。
【図面の簡単な説明】
【００３０】
【図１】本発明の実施の形態１における携帯型情報処理装置の使用状態を示す斜視図
【図２】同実施の形態１における携帯型情報処理装置の本体部でディスクカバーをあけた状態を示す斜視図
【図３】同実施の形態１における図２のＡ−Ａ’における断面図
【図４】従来の携帯型情報処理装置における防水構造を示した図
【符号の説明】
【００３１】
１  キーボードユニット
２  上筐体
３  下筐体
４  吸水部材
１１  携帯型情報処理装置
１２  携帯型情報処理装置の表示部
１３  携帯型情報処理装置の本体部
１４  ディスクカバー
１５  溝
１６  ディスク記録媒体
１７  スピンドル
１８  ピックアップ
１９  ディスク駆動装置
２０  防水クッション
【図１】
0004788418.tif 000002
【図２】
0004788418.tif 000003
【図３】
0004788418.tif 000004
【図４】
0004788418.tif 000005